(57)【要約】【課題】全体構造の簡素化および製造コストの低減化を図りながらも、熱交換器による被加熱湯水の加熱後の温度を適切に制御することが可能な湯水加熱装置を提供する。【解決手段】第１および第２の湯水流路１，２をそれぞれ流通する被加熱湯水および加熱用湯水を熱交換により前記被加熱湯水を加熱するための熱交換器３を備えている、湯水加熱装置Ｂであって、温度調整弁Ｖを備えており、この温度調整弁Ｖは、第２の湯水流路２に設けられ、かつ熱交換器３への加熱用湯水の供給量を変更するための弁体６０と、被加熱湯水の加熱後の温度を感知可能に設けられ、かつその感知温度が高いときには低いときよりも熱交換器３への加熱用湯水の供給量が少なくなるように感知温度に対応して弁体６０を動作させる感温アクチュエータ６２と、を備えている。【選択図】  図１
2017225757.tif 000002
【特許請求の範囲】
【請求項１】
被加熱湯水および加熱用湯水がそれぞれ個別に流通する第１および第２の湯水流路と、
これら第１および第２の湯水流路に接続され、かつ前記被加熱湯水および加熱用湯水の相互間の熱交換により前記被加熱湯水を加熱するための熱交換器と、
を備えている、湯水加熱装置であって、
前記熱交換器による前記被加熱湯水の加熱後の温度を制御するための温度調整弁を備えており、
この温度調整弁は、
前記第２の湯水流路に設けられ、かつ前記熱交換器への前記加熱用湯水の供給量を変更するための弁体と、
前記被加熱湯水の加熱後の温度を感知可能に設けられ、かつその感知温度が高いときには低いときよりも前記熱交換器への前記加熱用湯水の供給量が少なくなるように前記感知温度に対応して前記弁体を動作させる感温アクチュエータと、
を備えていることを特徴とする、湯水加熱装置。
【請求項２】
請求項１に記載の湯水加熱装置であって、
前記感温アクチュエータは、少なくともその一部が前記熱交換器を通過した後の前記被加熱湯水に接触するように、前記第１の湯水流路内に配され、または前記第１の湯水流路に連通した箇所に配されている、湯水加熱装置。
【請求項３】
請求項１または２に記載の湯水加熱装置であって、
前記温度調整弁は、
前記第１および第２の湯水流路をそれぞれ形成する第１および第２の管体部材どうしを接続するように設けられた中空状のケーシング部材と、
このケーシング部材の内部に配されて前記弁体を支持し、かつ前記感温アクチュエータによって前記ケーシング部材の軸長方向に往復動させられる弁軸と、
前記弁軸を前記軸長方向にスライド可能に支持するとともに、前記弁軸との間の領域には止水シールが施され、かつ前記第１および第２の湯水流路どうしが前記ケーシング部材の内部を介して互いに連通することを阻止するように設けられた隔壁部と、
を備えている、湯水加熱装置。
【請求項４】
請求項３に記載の湯水加熱装置であって、
前記感温アクチュエータは、形状記憶合金バネであり、
前記ケーシング部材は、前記形状記憶合金バネを内部に収容して位置決めを図るためのバネ保持部を有しており、かつこのバネ保持部には、このバネ保持部の内部と外部との間で前記被加熱湯水を流入出可能とする複数の開口部が設けられている、湯水加熱装置。
【請求項５】
請求項３または４に記載の湯水加熱装置であって、
前記隔壁部として、前記軸長方向に並んだ少なくとも２つの隔壁部が設けられ、かつこれら２つの隔壁部の相互間には、空隙部が形成されており、
前記ケーシング部材の周壁部には、前記第１および第２の湯水流路の少なくとも一方から前記空隙部に被加熱湯水または加熱用湯水が漏洩したときに、この漏洩湯水を前記空隙部から前記ケーシング部材の外部に排出可能とする排水孔が設けられている、湯水加熱装置。
【請求項６】
請求項１ないし５のいずれかに記載の湯水加熱装置と、
前記加熱用湯水を前記熱交換器よりも前段側の位置において加熱可能な熱源機と、
供給されてきた湯水をミスト化して噴出可能なミスト噴出手段と、
を備えており、
前記第１の湯水流路は、湯水供給源からの湯水を前記被加熱湯水として前記熱交換器に供給し、かつ前記熱交換器を通過した前記被加熱湯水を前記ミスト噴出手段に供給するように設けられている、ミスト装置。
【発明の詳細な説明】
【技術分野】
【０００１】
本発明は、熱交換器を利用し、被加熱湯水（加熱対象湯水）を加熱用湯水によって加熱する方式の湯水加熱装置、およびこれを備えたミスト装置に関する。
【背景技術】
【０００２】
ミスト装置の一例として、特許文献１に記載のものがある。
同文献に記載のミスト装置は、浴室に設置されたミスト噴出ノズルに供給されるミスト用湯水を、いわゆる液−液熱交換器を用いて加熱可能としている。この熱交換器には、ミスト用湯水、およびこのミスト用湯水を加熱するための加熱用湯水が送り込まれる。ミスト用湯水を加熱し、ミスト噴出ノズルから温かいミストを噴出させることにより、ミスト浴の快適性を高めることが可能である。
【０００３】
しかしながら、従来においては、次に述べるように、未だ改善すべき余地があった。
【０００４】
ミスト浴の快適性を一層高める上では、ミストの温度を所望の目標温度近辺に安定させることが要望される。そのためには、熱交換器によるミスト用湯水の加熱後の温度を安定させる必要がある。ただし、たとえば水道水をミスト用湯水として用いた場合、その温度は一定ではないため、熱交換器に供給される加熱用湯水の温度や流量を単に一定にしただけでは、ミスト用湯水の加熱後の温度を所望の目標温度近辺に安定させることは困難である。これに対し、特許文献１においては、ミスト用湯水の加熱後の温度を調整するための手段は講じられておらず、前記した不具合を適切に解消することはできない。
【０００５】
ミスト用湯水の加熱後の温度を所望の目標温度近辺に安定させるための手段としては、温度センサを用いてミスト用湯水の加熱後温度を検出し、かつこの検出温度に応じて、熱交換器への加熱用湯水の供給量を電磁式または電動式の流量調整弁を用いて制御することが考えられる。ところが、このような手段によれば、温度センサや、電磁式または電動式の流量調整弁に加え、この流量調整弁を制御するための制御回路なども必要となり、これらのコストが高価となる不利がある。
【０００６】
前記したような不具合は、浴室用のミスト装置においてミスト用湯水を加熱する場合に限らず、いわゆる液−液熱交換器を利用して所望の湯水を加熱する方式を採用した場合の全般において生じる。
【先行技術文献】
【特許文献】
【０００７】
【特許文献１】特許第４６５１９４９号公報
【発明の概要】
【発明が解決しようとする課題】
【０００８】
本発明は、前記したような事情のもとで考え出されたものであり、全体構造の簡素化および製造コストの低減化を図りながらも、熱交換器による被加熱湯水の加熱後の温度を適切に制御することが可能な湯水加熱装置、およびこれを備えたミスト装置を提供することを、その課題としている。
【課題を解決するための手段】
【０００９】
上記の課題を解決するため、本発明では、次の技術的手段を講じている。
【００１０】
本発明の第１の側面により提供される湯水加熱装置は、被加熱湯水および加熱用湯水がそれぞれ個別に流通する第１および第２の湯水流路と、これら第１および第２の湯水流路に接続され、かつ前記被加熱湯水および加熱用湯水の相互間の熱交換により前記被加熱湯水を加熱するための熱交換器と、を備えている、湯水加熱装置であって、前記熱交換器による前記被加熱湯水の加熱後の温度を制御するための温度調整弁を備えており、この温度調整弁は、前記第２の湯水流路に設けられ、かつ前記熱交換器への前記加熱用湯水の供給量を変更するための弁体と、前記被加熱湯水の加熱後の温度を感知可能に設けられ、かつその感知温度が高いときには低いときよりも前記熱交換器への前記加熱用湯水の供給量が少なくなるように前記感知温度に対応して前記弁体を動作させる感温アクチュエータと、を備えていることを特徴としている。
【００１１】
このような構成によれば、次のような効果が得られる。
すなわち、温度調整弁は、熱交換器による被加熱湯水の加熱後の温度が高いときには低いときよりも熱交換器への加熱用湯水の供給量が少なくなるように被加熱湯水の温度に対応して動作するため、被加熱湯水の加熱後の温度を所望の目標温度近辺に安定させる制御を適切に図ることができる。一方、本発明によれば、温度調整弁に感温アクチュエータを具備させているため、温度センサは不要である他、温度調整弁として、電磁式や電動式のものを用いる必要はない。さらには、温度調整弁の動作を制御するための制御回路も不要にすることができる。したがって、湯水加熱装置の構成の簡素化、ならびに低コスト化も適切に図ることが可能である。
【００１２】
本発明において、好ましくは、前記感温アクチュエータは、少なくともその一部が前記熱交換器を通過した後の前記被加熱湯水に接触するように、前記第１の湯水流路内に配され、または前記第１の湯水流路に連通した箇所に配されている。
【００１３】
このような構成によれば、被加熱湯水の温度を感温アクチュエータによって適切に感知させ得ることとなり、温度調整弁の動作を適正なものとする上で好ましい。
【００１４】
本発明において、好ましくは、前記温度調整弁は、前記第１および第２の湯水流路をそれぞれ形成する第１および第２の管体部材どうしを接続するように設けられた中空状のケーシング部材と、このケーシング部材の内部に配されて前記弁体を支持し、かつ前記感温アクチュエータによって前記ケーシング部材の軸長方向に往復動させられる弁軸と、前記弁軸を前記軸長方向にスライド可能に支持するとともに、前記弁軸との間の領域には止水シールが施され、かつ前記第１および第２の湯水流路どうしが前記ケーシング部材の内部を介して互いに連通することを阻止するように設けられた隔壁部と、を備えている。
【００１５】
このような構成によれば、第１および第２の湯水流路の両者間においてクロスコネクション（第１および第２の湯水流路の一方から他方への湯水の流入）を生じないようにしつつ、温度調整弁を第１および第２の管体部材に組み付けた状態とし、本発明が意図する動作を温度調整弁に適切に生じさせることができる。
【００１６】
本発明において、好ましくは、前記感温アクチュエータは、形状記憶合金バネであり、前記ケーシング部材は、前記形状記憶合金バネを内部に収容して位置決めを図るためのバネ保持部を有しており、かつこのバネ保持部には、このバネ保持部の内部と外部との間で前記被加熱湯水を流入出可能とする複数の開口部が設けられている。
【００１７】
このような構成によれば、感温アクチュエータとして形状記憶合金バネを用いているため、その部品コストを廉価にするなどの利点が得られる。また、バネ保持部を利用して形状記憶合金バネを適切に位置決め保持し得る他、形状記憶合金バネに被加熱湯水が接触する度合いを高め、被加熱湯水の温度を形状記憶合金バネに正確に感知させることも可能で
ある。
【００１８】
本発明において、好ましくは、前記隔壁部として、前記軸長方向に並んだ少なくとも２つの隔壁部が設けられ、かつこれら２つの隔壁部の相互間には、空隙部が形成されており、前記ケーシング部材の周壁部には、前記第１および第２の湯水流路の少なくとも一方から前記空隙部に被加熱湯水または加熱用湯水が漏洩したときに、この漏洩湯水を前記空隙部から前記ケーシング部材の外部に排出可能とする排水孔が設けられている。
【００１９】
このような構成によれば、第１および第２の湯水流路の相互間においてクロスコネクションが発生することを、より徹底して防止することが可能である。
【００２０】
本発明の第２の側面により提供されるミスト装置は、本発明の第１の側面により提供される湯水加熱装置と、前記加熱用湯水を前記熱交換器よりも前段側の位置において加熱可能な熱源機と、供給されてきた湯水をミスト化して噴出可能なミスト噴出手段と、を備えており、前記第１の湯水流路は、湯水供給源からの湯水を前記被加熱湯水として前記熱交換器に供給し、かつ前記熱交換器を通過した前記被加熱湯水を前記ミスト噴出手段に供給するように設けられている。
【００２１】
このような構成によれば、本発明の第１の側面により提供される湯水加熱装置について述べたのと同様な効果が得られ、ミストの噴出に際し、ミスト温度の安定化などを好適に図ることができる。
【００２２】
本発明のその他の特徴および利点は、添付図面を参照して以下に行なう発明の実施の形態の説明から、より明らかになるであろう。
【図面の簡単な説明】
【００２３】
【図１】本発明に係るミスト装置の一例を示す概略説明図である。
【図２】図１に示すミスト装置に具備された温度調整弁を示す要部断面図である。
【図３】図２の要部斜視図である。
【図４】本発明の他の例を示す要部断面図である。
【発明を実施するための形態】
【００２４】
以下、本発明の好ましい実施の形態について、図面を参照して具体的に説明する。
【００２５】
図１に示すミスト装置Ａは、液−液熱交換器としてのプレート式の熱交換器３と温度調整弁Ｖとを組み合わせて構成された湯水加熱装置Ｂ、熱源機４０、浴室に設置された少なくとも１つのミスト噴出ノズル４１、ならびに第１および第２の湯水流路１，２を備えている。
【００２６】
熱源機４０は、たとえばガス給湯装置などと同様な構成のものであって、湯水加熱機能を備えており、第２の湯水流路２（２ａ，２ｂ）を介して熱交換器３と接続されている。第２の湯水流路２は、循環流路であり、熱動弁としての開閉弁４２を開状態とすることにより、第２の湯水流路２に存在する加熱用湯水を熱源機４０において加熱してから熱交換器３に送り込み、その後熱源機４０に戻すことが可能である。
【００２７】
第１の湯水流路１（１ａ，１ｂ）は、水道管などの湯水供給源４３から送られてくる湯水を、ミスト用湯水とし、かつこのミスト用湯水を熱交換器３に送り込んでから最終的にミスト噴出ノズル４１に導く流路である。ミスト用湯水は、本発明でいう被加熱湯水の一例に相当する。熱交換器３は、ミスト用湯水と加熱用湯水との間で熱交換を行なわせることにより、ミスト用湯水を加熱可能である。熱交換器３の構成自体は、従来既知のプレー
ト式熱交換器と同様であり、その説明は省略する。
【００２８】
ミスト装置Ａは、第１の湯水流路１に設けられたバイメタルスイッチＳＷ１、ミスト用開閉弁４５、圧力スイッチＳＷ２、およびリレー回路４４を、さらに備えており、次のような動作が実行されるように構成されている。
すなわち、ミスト用開閉弁４５を開状態にすると、ミスト噴出ノズル４１からミストが噴出する。その際、圧力スイッチＳＷ２が圧力上昇を検知し、リレー回路４４に接点オン信号を出力する。すると、リレー回路４４から熱源機４０には接点オン信号が出力され熱源機４０が湯水加熱動作を開始するとともに、開閉弁４２には開動作用の電力供給がなされる。このことにより、熱源機４０と熱交換器３との間で加熱用湯水が循環し、熱交換器３においては加熱用湯水によってミスト用湯水が加熱される。温度調整弁Ｖの具体的な構成および作用については、後述するが、この温度調整弁Ｖによって、熱交換器３によるミスト用湯水の加熱後の温度が所望の目標温度近辺に安定するように制御される。ミスト用開閉弁４５が閉状態とされた場合には、圧力スイッチＳＷ２の接点がオフとなるため、リレー回路４４から熱源機４０への信号出力はオフとされて熱源機４０の動作が停止されるとともに、開閉弁４２は電力供給オフにより閉状態とされる。
【００２９】
バイメタルスイッチＳＷ１は、凍結予防運転に利用される。具体的には、バイメタルスイッチＳＷ１の設置箇所の温度が、凍結予防用の所定温度未満に低下すると、バイメタルスイッチＳＷ１がリレー回路４４に接点オン信号を出力する。このことにより、熱源機４０の運転開始、および開閉弁４２の開動作がなされ、熱源機４０によって加熱された加熱用湯水が第２の湯水流路２を循環し、凍結予防が図られる。熱交換器３が加熱用湯水によって暖められ、その伝導熱などによってバイメタルスイッチＳＷ１の検出温度が所定温度以上になると、接点オフとなり、熱源機４０の運転停止、および開閉弁４２の閉動作が行なわれる。
前記した動作制御においては、複雑な制御プログラムを搭載した制御回路を用いる必要がなく、ミスト装置Ａの製造コストを低減することが可能である。
【００３０】
図２に示すように、温度調整弁Ｖは、管継手として構成された第１および第２の管体部材１０，２０どうしを接続するケーシング部材５、弁体６０、これを支持する弁軸６１、感温アクチュエータの一例としての形状記憶合金バネ６２、バイアスバネ６３、ならびに２つの隔壁部７ａ，７ｂを備えている。
【００３１】
第１および第２の管体部材１０，２０は、第１および第２の湯水流路１，２のそれぞれの一部を構成する部材であり、互いに接近する配置に設けられている。第１の管体部材１０は、図１に示した第１の湯水流路１のうち、熱交換器３の出口付近に位置する部材であり、第２の管体部材２０は、第２の湯水流路２のうち、熱交換器３の入口付近に位置する部材である。これら第１および第２の管体部材１０，２０には、第１および第２の湯水流路１，２を形成する他の配管部材が接続されており、第１の管体部材１０内には、熱交換器３によって加熱された後のミスト用湯水が流れる一方、第２の管体部材２０内には熱交換器３に送り込まれる前の加熱用湯水が流れる。第１および第２の管体部材１０，２０には、短管状の分岐管体部１０ａ，２０ａがそれぞれ連設されている。これらの分岐管体部１０ａ，２０ａの軸長方向は、ケーシング部材５の軸長方向（図２の左右方向）と同方向である。
【００３２】
ケーシング部材５は、中空状（内部空洞状）であり、第１および第２の管体部材１０，２０のそれぞれに連結されている。第１の管体部材１０に対するケーシング部材５の連結は、ケーシング部材５の一部を分岐管体部１０ａに嵌入させた上で、ケーシング部材５の外周に外嵌係止された係合部材８０と分岐管体部１０ａの先端フランジ部１０ｂとを、固定具８１を用いて互い離反しないように係止保持させることにより図られている。固定具
８１は、たとえばクイックファスナと称されるものであって、特開２００６−２６６６５１号公報の図６などに記載された公知の部材である。第２の管体部材２０に対するケーシング部材５の連結は、たとえばケーシング部材５の一端部を分岐管体部２０ａの先端フランジ部に当接させるなどした上で、これらをボルト８２を用いて締結することにより図られている。
【００３３】
弁体６０は、第２の管体部材２０の内側に設けられた弁開口部２１およびその周囲の弁座２２に対向配置されており、ケーシング部材５の軸長方向に往復動することにより、加熱用湯水の流量を変更可能である。弁軸６１は、先端部に弁体６０を支持し、かつケーシング部材５内においてケーシング部材５の軸長方向にスライド可能である。バイアスバネ６３は、通常のコイルバネであり、弁軸６１の基端部寄りの位置に装着された当接部材６４と隔壁部７ａとの相互間に配されていることにより、弁軸６１を後退方向（図２の右側）に常時付勢している。
【００３４】
形状記憶合金バネ６２は、Ｎｉ-Ｔｉ、あるいはＮｉ-Ｔｉ-Ｃｕなどの形状記憶合金製のコイルバネであり、少なくともその一部分は、第１の湯水流路１内に位置するように設けられ、ミスト用湯水の温度を感知可能とされている。この形状記憶合金バネ６２は、ケーシング部材５に連設されたバネ保持部５０内に収容され、かつ当接部材６４に一端が当接するように位置決め保持されている。バネ保持部５０は、ケーシング部材５の軸長方向に延びた複数の帯状部５０ａが、形状記憶合金バネ６２の外周囲において周方向に間隔を隔てて並んだ構成である（図３も参照）。複数の帯状部５０ａどうしの各間は、ミスト用湯水が通過可能な細長矩形状の開口部５０ｂとなっている。バネ保持部５０および形状記憶合金バネ６２は、分岐管体部１０ａの内部から第１の湯水流路１側に突出するように設けられている。さらに、バネ保持部５０と分岐管体部１０ａの周壁との間には、ミスト用湯水が進入可能な隙間Ｃ１が設けられ、形状記憶合金バネ６２の略全体がミスト用湯水中に浸漬する構成となっている。
【００３５】
形状記憶合金バネ６２は、その感知温度が高いときには低いときよりもバネ定数が大きくなるように変化する。バネ定数が増大した際には、バイアスバネ６３の弾発力に抗して当接部材６４および弁軸６１が形状記憶合金バネ６２によって前方（図２の左側）に押動され、弁体６０が弁座２２に接近するように前進する結果、熱交換器３への加熱用湯水の供給量が減少する。これとは異なり、感知温度が低下した場合には、形状記憶合金バネ６２のバネ定数が小さくなり、バイアスバネ６３の弾発力によって弁体６０は後退し、熱交換器３への加熱用湯水の供給量は増加する。
【００３６】
隔壁部７ａ，７ｂは、弁軸６１をスライド可能に支持するとともに、第１および第２の湯水流路１，２が互いに連通しないようにし、それらの相互間におけるクロスコネクションを防止するための部位である。これら隔壁部７ａ，７ｂは、ケーシング部材５とは別体の補助部材７０ａ，７０ｂを用いて構成されている。具体的には、一方の隔壁部７ａは、補助部材７０ａがケーシング部材５の孔部に嵌入され、かつそれらの相互間にＯリング７１ａを用いた止水シール部が設けられた構成である。他方の隔壁部７ｂは、補助部材７０ｂが分岐管体部２０ａの内部に嵌入され、かつそれらの相互間にＯリング７１ｂを用いた止水シール部が設けられた構成である。弁軸６１の外周面と隔壁部７ａ，７ｂの内周面との間には、弁軸６１のスライド動作を可能とすべくＯリング７２ａ，７２ｂを用いた止水シール部が設けられている。隔壁部７ａの隔壁部７ｂ側の端部には、他方の隔壁部７ｂのＯリング７２ｂの固定用ワッシャーの飛び出し防止部が設けられている。
【００３７】
隔壁部７ａ，７ｂの相互間には、ケーシング部材５の軸長方向に適当な幅を有する空隙部５８が形成されている。一方、ケーシング部材５の周壁部には、空隙部５８に連通した少なくとも１つの排水孔５９が設けられている。たとえば、Ｏリング７２ｂを用いた止水
シール部にシール不良が生じた場合には、矢印Ｎ１，Ｎ２で示すように、第２の湯水流路２の加熱用湯水が前記シール不良部分を通過し、空隙部５８内に漏洩する虞がある。排水孔５９は、矢印Ｎ３で示すように、前記したような漏洩湯水を空隙部５８内からケーシング部材５の外部に排出するのに役立つ。Ｏリング７２ａを用いた止水シール部にシール不良が生じることに起因して、ミスト用湯水が空隙部５８に漏洩した場合にも、前記と同様である。
【００３８】
次に、前記した湯水加熱装置Ｂおよびミスト装置Ａの作用について説明する。
【００３９】
まず、温度調整弁Ｖは、熱交換器３によるミスト用湯水の加熱後の温度が高いときには低いときよりも熱交換器３への加熱用湯水の供給量が少なくなるように動作するため、ミスト用湯水の加熱後の温度を所望の目標温度付近の温度に安定させることが可能である。したがって、ミスト噴出ノズル４１から噴出されるミストの温度をミスト浴などに最適な温度に維持し、ユーザの快適性を高めることができる。
【００４０】
一方、前記したミストの温度制御は、形状記憶合金バネ６２を用いた温度調整弁Ｖを用いて実行されているが、この温度調整弁Ｖは、その構成が簡素であり、比較的廉価に製造することが可能である。加えて、本実施形態のミスト装置Ａにおいては、熱交換器３によるミスト用湯水の加熱後の温度を制御するための手段として、専用の温度センサ、電磁式または電動式の流量調整弁、およびその制御回路などを用いる必要はない。したがって、ミスト装置Ａの構成の簡素化、ならびに低コスト化を適切に図ることもできる。
【００４１】
形状記憶合金バネ６２は、分岐管体部１０ａの内部から第１の湯水流路１側に突出した状態にあり、しかもバネ保持部５０には、ミスト用湯水が流入出する複数の開口部５０ｂが大きな開口比率で設けられている。さらには、バネ保持部５０の周囲には、ミスト用湯水が流れる隙間Ｃ１も設けられている。このため、第１の湯水流路１を流通するミスト用湯水は、高い接触頻度で形状記憶合金バネ６２の略全体に直接接触する。その結果、形状記憶合金バネ６２をミスト用湯水の温度変化に対して迅速に反応させることが可能となり、温度調整弁Ｖを応答性に優れたものとすることもできる。
【００４２】
第１および第２の管体部材１０，２０は、内部に弁軸６１が配された中空状のケーシング部材５を介して連結された構造であるため、第１および第２の湯水流路１，２の相互間のクロスコネクションを適切に防止する必要がある。これに対し、ケーシング部材５内には、既述したように、２つの隔壁部７ａ，７ｂが止水シールを適切に図った状態で設けられている。さらには、たとえば矢印Ｎ１〜Ｎ３に示したように、仮に第２の湯水流路２の加熱用湯水が空隙部５８まで漏洩したとしても、この漏洩湯水は排水孔５９からケーシング部材５の外部に排出されるために、第１の湯水流路１まで進行することはない。このような作用に基づき、第１および第２の湯水流路１，２の相互間にクロスコネクションが生じることを徹底して防止することが可能である。
【００４３】
図４は、本発明の他の実施形態を示している。同図において、前記実施形態と同一または類似の要素には、前記実施形態と同一の符号を付している。
【００４４】
図４に示す構造においては、第１の管体部材１０Ａが、図２に示した第１の管体部材１０とは異なった構成とされており、第１の管体部材１０Ａ内に形成された第１の湯水流路１は、略Ｌ状に屈曲している。第１の管体部材１０Ａの分岐管体部１０ａは、湯水流入口１８に対向した配置に設けられている。このため、形状記憶合金バネ６２も、湯水流入口１８に対向した配置で第１の湯水流路１内に位置している。
このような構成によれば、湯水流入口１８から第１の管体部材１０Ａ内にミスト用湯水が流入すると、このミスト用湯水はそのまま形状記憶合金バネ６２の位置に到達する。し
たがって、形状記憶合金バネ６２の全体にミスト用湯水を一層効率よく接触させることが可能である。
【００４５】
本発明は、上述した実施形態の内容に限定されない。本発明に係る湯水加熱装置、およびミスト装置の各部の具体的な構成は、本発明の意図する範囲内において種々に設計変更自在である。
【００４６】
感温アクチュエータとしては、コイル状以外の形態の形状記憶合金バネを用いることができる他、たとえばワックスサーモエレメント（温度に応じて体積が変化するパラフィンワックスをケース内に封入し、前記ワックスの体積変化によってピストンの往復動作を生じるように構成された機器）を用いることもできる。
被加熱湯水を加熱するための熱交換器は、プレート式の熱交換器に限らず、他の方式のものとすることも可能である。
【００４７】
温度調整弁の隔壁部は、第１および第２の湯水流路どうしが前記ケーシング部材の内部を介して互いに連通することを阻止するように設けられていればよく、上述の実施形態とは異なり、たとえば１つのみ設けられた構成とすることも可能である。
温度調整弁のバネ保持部は、たとえば透水性をもつメッシュ状の部材を用いて形成するようなことも可能である。
【００４８】
本発明でいう被加熱湯水は、ミスト用湯水に限定されず、それ以外の湯水を被加熱湯水とすることが可能である。本発明に係る湯水加熱装置は、ミスト装置とは異なる装置の構成要素などとして用いることができる。
本発明に係るミスト装置において、ミスト噴出手段は、ミスト噴出ノズルに限らない。たとえば、特許第４９０５２３２号公報に記載されているように、モータを利用して回転されるロータの遠心力を利用して湯水をロータの周囲に飛散させることにより、ミストを発生させるようにされたミスト発生装置を用いることもできる。
【符号の説明】
【００４９】
Ａ  ミスト装置
Ｂ  湯水加熱装置
Ｖ  温度調整弁
１，２  第１および第２の湯水流路
３  熱交換器
４０  熱源機
４１  ミスト噴出ノズル（ミスト噴出手段）
５  ケーシング部材
５０  バネ保持部
５０ｂ  開口部（バネ保持部の）
５８  空隙部
５９  排水孔
６０  弁体
６１  弁軸
６２  形状記憶合金バネ（感温アクチュエータ）
７ａ，７ｂ  隔壁部
【図１】
2017225757.tif 000003
【図２】
2017225757.tif 000004
【図３】
2017225757.tif 000005
【図４】
2017225757.tif 000006